(57)【要約】【課題】本発明は、使用者が背中をもたれかけたときに床面上で移動するのが抑制される背もたれ具を提供することを目的とする。【解決手段】本発明の背もたれ具は、床面Ｆに載置され、床面Ｆに着座した使用者が背中をもたれかけるための背もたれ具１であって、背もたれ具１が、背中を支持する背もたれ本体２と、背もたれ本体２の下面に取り付けられる滑り止め部材３とを備え、背もたれ本体２が、硬質部材２１１を含む支持部材２１を備え、硬質部材２１１が、使用者が背中をもたれかける傾斜面２１１ｃ、２１１ｄを有し、傾斜面２１１ｃ、２１１ｄが背中を支持するときに、床面Ｆを押圧する押圧力Ｆｖを生じさせるように構成され、滑り止め部材３は、背もたれ具１の荷重Ｗおよび押圧力Ｆｖにより床面Ｆに対する静止摩擦力Ｆｓを生じさせ、静止摩擦力Ｆｓにより、床面Ｆに沿った背もたれ具１の摺動を抑制するように構成されることを特徴とする。【選択図】図６
2020137711.tif 000002
【特許請求の範囲】
【請求項１】
床面に載置され、前記床面に着座した使用者が背中をもたれかけるための背もたれ具であって、
前記背もたれ具が、
前記背中を支持する背もたれ本体と、
前記床面に接触するように前記背もたれ本体の下面に直接または間接的に取り付けられる滑り止め部材とを備え、
前記背もたれ本体が、硬質部材を含む支持部材を備え、
前記硬質部材が、前記使用者が背中をもたれかける傾斜面を有し、前記傾斜面が前記背中を支持するときに、前記背中から受ける力から、前記床面に対して略垂直な方向に前記床面を押圧する押圧力を生じさせるように構成され、
前記滑り止め部材は、前記背もたれ本体が前記背中を支持するときに、前記背もたれ具の荷重および前記押圧力により前記床面に対する静止摩擦力を生じさせ、前記静止摩擦力により、前記床面に沿った前記背もたれ具の摺動を抑制するように構成される、
背もたれ具。
【請求項２】
前記支持部材が、前記硬質部材の、前記背中が当接する側に設けられる軟質部材を含む、請求項１記載の背もたれ具。
【請求項３】
前記背もたれ本体が、前記支持部材を覆う被覆部材を備える、請求項２記載の背もたれ具。
【請求項４】
前記背もたれ具が、前記背もたれ本体を覆うカバー部材を備え、
前記滑り止め部材が、前記カバー部材に着脱可能である、請求項１〜３のいずれか１項に記載の背もたれ具。
【請求項５】
前記硬質部材が、断面が略台形の柱状に形成される、請求項１〜４のいずれか１項に記載の背もたれ具。
【請求項６】
前記硬質部材が、前記支持部材の下面の略全体に亘る大きさに形成される、請求項１〜５のいずれか１項に記載の背もたれ具。
【請求項７】
前記背もたれ具が、前記背もたれ具を持ち上げるための持ち手をさらに備える、請求項１〜６のいずれか１項に記載の背もたれ具。
【請求項８】
前記背もたれ具が、前記使用者の頭部を支持する枕体をさらに備える、請求項１〜７のいずれか１項に記載の背もたれ具。
【発明の詳細な説明】
【技術分野】
【０００１】
本発明は、背もたれ具に関する。
【背景技術】
【０００２】
従来、洋室、和室を問わず、使用者がくつろいで着座するために、ソファが用いられている。ソファは、一般的には、使用者が着座する座部と、使用者が背中をもたれかける背もたれ部とを備えている。座部および背もたれ部の両方を備えるソファは、非常に大きく、設置場所が限られるとともに、移動が容易ではないので、使用者は、固定された、限られた場所での着座を余儀なくされる。
【０００３】
それに対して、特許文献１は、床面に載置して、単独で使用可能な背もたれ台を提案している。特許文献１の背もたれ台は、使用者が着座するための座部を有していないので、全体として小さくすることができ、床面に設置する際の自由度が比較的大きい。したがって、背もたれ台は、床面の様々な場所に設置することができ、使用者は、床面の様々な場所でくつろいで着座することができる。
【先行技術文献】
【特許文献】
【０００４】
【特許文献１】実公昭６１−２２５１６号公報
【発明の概要】
【発明が解決しようとする課題】
【０００５】
ところが、特許文献１の背もたれ台は、床面に設置した際に滑りやすいために、背もたれとして使用する際には、特許文献１にも記載されているように、敷物の一端に固定して使用することが推奨されている。このように、背もたれ台を敷物とともに使用するならば、敷物を設置するスペースを確保する必要があり、かえって設置面積が大きくなるので、床面のさまざまな場所に自由に設置することができない。また、敷物を用いずに背もたれ台を単独で床面に設置する場合には、床面に対して滑ってしまうので、使用者が安心して背中をもたれかけることができない。
【０００６】
本発明は、上記問題に鑑みなされたもので、使用者が背中をもたれかけたときに床面上で移動するのが抑制される背もたれ具を提供することを目的とする。
【課題を解決するための手段】
【０００７】
本発明の背もたれ具は、床面に載置され、前記床面に着座した使用者が背中をもたれかけるための背もたれ具であって、前記背もたれ具が、前記背中を支持する背もたれ本体と、前記床面に接触するように前記背もたれ本体の下面に直接または間接的に取り付けられる滑り止め部材とを備え、前記背もたれ本体が、硬質部材を含む支持部材を備え、前記硬質部材が、前記使用者が背中をもたれかける傾斜面を有し、前記傾斜面が前記背中を支持するときに、前記背中から受ける力から、前記床面に対して略垂直な方向に前記床面を押圧する押圧力を生じさせるように構成され、前記滑り止め部材は、前記背もたれ本体が前記背中を支持するときに、前記背もたれ具の荷重および前記押圧力により前記床面に対する静止摩擦力を生じさせ、前記静止摩擦力により、前記床面に沿った前記背もたれ具の摺動を抑制するように構成されることを特徴とする。
【０００８】
また、前記支持部材が、前記硬質部材の、前記背中が当接する側に設けられる軟質部材を含むことが好ましい。
【０００９】
前記背もたれ本体が、前記支持部材を覆う被覆部材を備えることが好ましい。
【００１０】
前記背もたれ具が、前記背もたれ本体を覆うカバー部材を備え、前記滑り止め部材が、前記カバー部材に着脱可能であることが好ましい。
【００１１】
前記硬質部材が、断面が略台形の柱状に形成されることが好ましい。
【００１２】
前記硬質部材が、前記支持部材の下面の略全体に亘る大きさに形成されることが好ましい。
【００１３】
前記背もたれ具が、前記背もたれ具を持ち上げるための持ち手をさらに備えることが好ましい。
【００１４】
前記背もたれ具が、前記使用者の頭部を支持する枕体をさらに備えることが好ましい。
【発明の効果】
【００１５】
本発明によれば、使用者が背中をもたれかけたときに床面上で移動するのが抑制される背もたれ具を提供することができる。
【図面の簡単な説明】
【００１６】
【図１】本発明の一実施形態に係る背もたれ具の斜視図である。
【図２】図１の背もたれ具の持ち手を除いた正面図である。
【図３】図１の背もたれ具の持ち手を除いた側面図である。
【図４】図２のＩＶ−ＩＶ線断面図である。
【図５】図３のＶ−Ｖ線断面図である。
【図６】本発明の一実施形態に係る背もたれ具に加わる力を説明する説明図である。
【図７】本発明の別の実施形態に係る背もたれ具の斜視図である。
【発明を実施するための形態】
【００１７】
以下、図面を参照して、本発明の一実施形態に係る背もたれ具について説明する。ただし、以下に示す実施形態は、あくまで一例であり、本発明の背もたれ具は、以下の実施形態に限定されるものではない。
【００１８】
本実施形態の背もたれ具１は、図１に示されるように、床面Ｆに載置され、床面Ｆに着座した使用者が背中をもたれかけるために用いることができる。背もたれ具１が載置される床面Ｆとしては、後述する背もたれ具１の滑り止め部材３が接触するように背もたれ具１を載置可能な略平坦な面であれば、特に限定されることはなく、フローリング、畳、じゅうたん、カーペット、ベッドのシーツの敷かれた面などが例示される。
【００１９】
本実施形態の背もたれ具１は、図１に示されるように、使用者の背中を支持する背もたれ本体２と、床面Ｆに接触するように背もたれ本体２の下面に直接または間接的に取り付けられる滑り止め部材３とを備える。背もたれ具１は、本実施形態では、背もたれ本体２を覆うカバー部材４を備えており、滑り止め部材３は、カバー部材４に取り付けられて、背もたれ本体２の下面に間接的に取り付けられる。
【００２０】
背もたれ本体２は、使用者が床面Ｆに着座して、背中をもたれかけている際に、使用者の背中を支持する。背もたれ本体２は、図４および図５に示されるように、使用者の背中を支持するための支持部材２１と、支持部材２１を覆う被覆部材２２とを備えている。
【００２１】
支持部材２１は、本実施形態では、図４および図５に示されるように、硬質部材２１１および軟質部材２１２を含んでいる。硬質部材２１１は、支持部材２１の中心側に位置し、主に支持部材２１の芯材として機能する。軟質部材２１２は、硬質部材２１１の、使用者の背中が当接する側に位置し、主に硬質部材２１１に対する緩衝材として機能する。支持部材２１は、特に限定されることはないが、本実施形態では、合成樹脂や発泡樹脂及びチップフォーム等により形成され、軽量化されている。
【００２２】
硬質部材２１１は、使用者が背もたれ本体２に背中をもたれかけている際に、背中を支持する部材である。硬質部材２１１は、使用者が背中をもたれかける傾斜面２１１ｃ、２１１ｄを有し、傾斜面２１１ｃ、２１１ｄが使用者の背中を支持するときに、背中から受ける力Ｆｂから、床面Ｆに対して略垂直な方向に床面Ｆを押圧する押圧力Ｆｖを生じさせるように構成されている（図６参照）。より具体的には、硬質部材２１１は、図４および図５に示されるように、断面が略台形の柱状に形成され、略平行な１組の対面が硬質部材２１１の上面２１１ａおよび底面２１１ｂを構成し、略平行でない１組の対面が硬質部材２１１の２つの側面２１１ｃ、２１１ｄを構成する。２つの側面２１１ｃ、２１１ｄはともに、それぞれの底面２１１ｂに対する角度Ａ、Ｂが鋭角となるように形成され、使用者の背中がもたれかかる傾斜面を構成している。使用者の背中がもたれかかる側面２１１ｃ、２１１ｄが底面２１１ｂに対して鋭角であることにより、使用者の背中から受ける力Ｆｂによって、底面２１１ｂに対して垂直方向の押圧力Ｆｖが生じ、その押圧力Ｆｖが、床面Ｆに対して略垂直な方向に床面Ｆを押圧する押圧力Ｆｖとなる（図６参照）。
【００２３】
本実施形態では、２つの側面２１１ｃ、２１１ｄがいずれも、底面２１１ｂに対して鋭角に傾斜しており、２つの側面２１１ｃ、２１１ｄのいずれにも、使用者が背中をもたれかけることができる。このように、硬質部材２１１が対向する２つの側面２１１ｃ、２１１ｄを備えることにより、一人の使用者が２つの側面２１１ｃ、２１１ｄのいずれかを利用して背中をもたれかけることもできるし、二人の使用者が２つの側面２１１ｃ、２１１ｄのそれぞれを利用して同時に背中をもたれかけることもできる。本実施形態では、２つの側面２１１ｃ、２１１ｄの一方の第１側面２１１ｃの底面２１１ｂに対する角度Ａが、他方の第２側面２１１ｄの底面２１１ｂに対する角度Ｂよりも大きくなっており、使用者の背中がもたれかかる角度が両者で異なる。使用者は、底面２１１ｂに対する角度の大きい第１側面２１１ｃはたとえば読書をするためになど、底面２１１ｂに対する角度の小さい第２側面２１１ｄはたとえばより姿勢を楽にしてくつろぐためになど、２つの側面２１１ｃ、２１１ｄの使用方法をそれぞれ使い分けることができる。なお、それぞれの側面２１１ｃ、２１１ｄの底面２１１ｂに対する角度は、使用者の必要とする姿勢に応じて適宜決定することができ、特に限定されることはないが、使用者がくつろいで背中をもたれかけるという観点から、４０〜８５°が好ましく、５０〜８０°がさらに好ましく、６０〜７５°がよりさらに好ましい。
【００２４】
硬質部材２１１は、本実施形態では、図４および図５に示されるように、支持部材２１の下面の略全体に亘る大きさに形成されている。すなわち、硬質部材２１１の底面２１１ｂが、支持部材２１の下面の略全体を構成している。このように、硬質部材２１１が支持部材２１の下面の略全体に亘る大きさに形成され、軟質部材２１２が支持部材２１の下面に含まれないことにより、支持部材２１は、床面Ｆ上において、使用者の背中を支持する支持姿勢が安定し、床面Ｆに対する押圧力Ｆｖを安定して生じさせることができる。
【００２５】
なお、硬質部材２１１は、使用者が背中をもたれかける側面２１１ｃ、２１１ｄが、使用者の背中を支持するときに、背中から受ける力Ｆｂから、床面Ｆに対して略垂直な方向に床面Ｆを押圧する押圧力Ｆｖを生じさせることができればよく、上述した実施形態に限定されることはない。たとえば、硬質部材２１１は、２つの側面２１１ｃ、２１１ｄのうち一方のみが、底面２１１ｂに対して鋭角であってもよいし、また、断面が略台形の柱状ではなく、断面が略三角形の柱状であってもよいし、また、使用者の背中がもたれかかる側面２１１ｃ、２１１ｄが必ずしも本実施形態のように平坦な面でなくてもよい。また、硬質部材２１１は、支持部材２１の下面の一部に亘る大きさに形成され、支持部材２１の下面のその他の部分が軟質部材２１２により形成されていてもよい。
【００２６】
硬質部材２１１は、使用者の背中を支持する際に、床面Ｆに対して略垂直な方向に床面Ｆを押圧することができる剛性を有していればよく、構成される材料は特に限定されない。たとえば、硬質部材２１１は、使用者が背中をもたれかける際に、変形が抑制される剛性を有する硬質材料により形成することができる。硬質材料としては、特に限定されることはなく、たとえばチップウレタンフォームや硬質発泡ウレタン（硬質ウレタンフォームともいう）などを採用することができる。
【００２７】
軟質部材２１２は、使用者が背もたれ本体２に背中をもたれかける際に、背中を支持する硬質部材２１１から背中が受ける衝撃や振動を緩和する部材である。軟質部材２１２は、硬質部材２１１よりも低い硬度で、弾力性を有するように構成される。軟質部材２１２は、図４および図５に示されるように、硬質部材２１１の、使用者の背中が当接する側に設けられる。本実施形態では、軟質部材２１２は、硬質部材２１１の、使用者の背中が当接する側である硬質部材２１１の側面２１１ｃ、２１１ｄ上に加えて、硬質部材２１１の、使用者の背中が当接する側ではない硬質部材２１１の上面２１１ａ上にも設けられる。すなわち、軟質部材２１２は、硬質部材２１１の底面２１１ｂを除く全外周に亘って設けられる。したがって、使用者は、背もたれ本体２に背中をもたれかける際に、軟質部材２１２によって硬質部材２１１からの衝撃や振動が緩和されるので、快適に背中をもたれかけることができる。そして、使用者は、背もたれ本体２の上面に接触したり、載ったりするようなことがあっても、同じように軟質部材２１２によって硬質部材２１１からの衝撃や振動が緩和されるので、背もたれ本体２を快適に取り扱うことができる。ただし、軟質部材２１２は、少なくとも硬質部材２１１の、使用者の背中が当接する側に設けられていれば、上述した実施形態に限定されることはなく、たとえば硬質部材２１１の２つの側面２１１ｃ、２１１ｄのみに設けられていてもよいし、２つの側面２１１ｃ、２１１ｄのいずれか一方のみに設けられていてもよい。
【００２８】
軟質部材２１２は、使用者が背もたれ本体２に背中をもたれかける際に、背中を支持する硬質部材２１１から背中が受ける衝撃や振動を緩和することができれば、その構成は特に限定されない。軟質部材２１２は、本実施形態では、図４および図５に示されるように、硬質部材２１１側に設けられる内側軟質部材２１２ａと、内側軟質部材２１２ａの外側（硬質部材２１１側とは反対側）に設けられる外側軟質部材２１２ｂとを備えた２層構造を有している。内側軟質部材２１２ａは、硬質部材２１１の底面２１１ｂを除く全外周に亘って設けられ、外側軟質部材２１２ｂは、内側軟質部材２１２ａの全外周に亘って設けられる。内側軟質部材２１２ａおよび外側軟質部材２１２ｂはともに、硬質部材２１１よりも低い硬度で、弾力性を有している。そして、外側軟質部材２１２ｂは、内側軟質部材２１２ａよりも低い硬度を有している。使用者の背中が当接する側である外側軟質部材２１２ｂが支持部材２１の中で最も低い硬度を有することにより、使用者が背もたれ本体２に背中をもたれかけている際に、背中を包み込むように外側軟質部材２１２ｂが変形するので、使用者は快適に背中をもたれかけることができる。
【００２９】
軟質部材２１２は、硬質部材２１１よりも低い硬度で、弾力性を有し、背中を支持する硬質部材２１１から背中が受ける衝撃や振動を緩和することができれば、構成される材料は特に限定されることはない。たとえば、軟質部材２１２は、本実施形態のように２層構造とする場合は、内側軟質部材２１２ａの材料として軟質発泡ウレタン（軟質ウレタンフォームともいう）などを、外側軟質部材２１２ｂの材料として綿（不織綿）、羊毛、羽毛などを採用することができる。内側軟質部材２１２ａ、外側軟質部材２１２ｂおよび硬質部材２１１は、特に限定されることはなく、接着剤などの公知の接着手段により互いに接着される。
【００３０】
なお、軟質部材２１２は、必ずしも支持部材２１に備えられていなくてもよい。背中を支持する硬質部材２１１から背中が受ける衝撃や振動を緩和するための部材として、たとえば背もたれ本体２とは別に、公知のクッションなどが使用されてもよい。
【００３１】
被覆部材２２は、支持部材２１を被覆する部材である。被覆部材２２は、図４および図５に示されるように、支持部材２１の外形に沿う形状に形成され、支持部材２１の外面に接触するように支持部材２１の全体を被覆する。被覆部材２２は、支持部材２１の全体を被覆することで、支持部材２１を構成する部材が互いに一体化した状態を容易に維持することができ、また、支持部材２１を構成する部材が互いに一体化した状態で支持部材２１をカバー部材４内に容易に挿入することができる。
【００３２】
被覆部材２２は、支持部材２１を構成する部材が互いに一体化した状態を維持する強度を有していれば、構成される材料は特に限定されない。ただし、被覆部材２２は、外側を覆うカバー部材４に対して支持部材２１よりも摩擦力が小さい材料を用いて形成されることが好ましい。カバー部材４に対して支持部材２１よりも摩擦力の小さい材料を用いて被覆部材２２を形成することにより、被覆部材２２で被覆しない支持部材２１をカバー部材４内に挿入する場合と比べて、カバー部材４に対して被覆部材２２が容易に摺動するので、支持部材２１をカバー部材４内に容易に挿入することができる。カバー部材４に対して支持部材２１よりも摩擦力の小さい材料としては、特に限定されることはなく、たとえば公知のポリエステル生地が挙げられる。
【００３３】
滑り止め部材３は、床面Ｆに接触して、背もたれ具１が床面Ｆ上を摺動するのを抑制する部材である。図６に示されるように、滑り止め部材３は、背もたれ本体２が使用者の背中を支持するときに、背もたれ具１の荷重Ｗおよび硬質部材２１１による垂直方向の押圧力Ｆｖにより床面Ｆに対する静止摩擦力Ｆｓを生じさせ、その静止摩擦力Ｆｓにより、床面Ｆに沿った背もたれ具１の摺動を抑制（または防止）するように構成される。図６を参照すると、たとえば硬質部材２１１の第１側面２１１ｃの側に使用者の背中がもたれかかったときに、第１側面２１１ｃには使用者の背中から第１側面２１１ｃに対して垂直な方向に使用者の背中から力Ｆｂを受ける。このとき、背中から受ける力Ｆｂは、底面２１１ｂに対して垂直方向の押圧力Ｆｖと水平方向の押圧力Ｆｈに分解することができる。垂直方向の押圧力Ｆｖは、床面Ｆを押圧する垂直方向の押圧力Ｆｖとなり、水平方向の押圧力Ｆｈは、背もたれ本体２を第１側面２１１ｃとは反対側の水平方向に押圧する水平方向の押圧力Ｆｈとなる。床面Ｆ上では、垂直方向の押圧力Ｆｖと背もたれ具１の荷重Ｗとに対する垂直抗力Ｎが生じ、この垂直抗力Ｎにより床面Ｆに対する静止摩擦力Ｆｓが生じる。この静止摩擦力Ｆｓが水平方向の押圧力Ｆｈに対抗することで、背もたれ具１の床面Ｆ上での移動が抑制（または防止）される。背もたれ具１は、畳、じゅうたん、カーペット、フローリングおよびベッドのシーツの敷かれた面を含む床面Ｆの種類によらず、床面Ｆ上で移動するのが抑制（または防止）されるので、特定の敷物を必要とすることなく、また、設置場所を気にすることなく、畳、じゅうたん、カーペット、フローリングおよびベッドのシーツの敷かれた面を含む床面Ｆのいずれの上でも使用することができる。
【００３４】
滑り止め部材３は、本実施形態では、図２および図３に示されるように、カバー部材４に取り付けられることで、カバー部材４を介して背もたれ本体２の下面に間接的に取り付けられる。滑り止め部材３の取り付け方法は、使用者が背もたれ本体２に背中をもたれかけている際に、背もたれ本体２への取り付け状態が維持され、床面Ｆに対する静止摩擦力Ｆｓを生じさせることができるように取り付けることができれば、特に限定されることはなく、縫合、接着剤、粘着テープ、熱圧着、線ファスナー、面ファスナー、ボタンなど公知の取り付け手段を用いることができる。ただし、滑り止め部材３は、カバー部材４に着脱可能であることが好ましい。滑り止め部材３がカバー部材４に着脱可能であることで、たとえば、カバー部材４を洗濯する際に、滑り止め部材３を取り外して、カバー部材４のみを洗濯することができるし、カバー部材４を交換する際に、それまで使用していた滑り止め部材３を再利用することができる。また、滑り止め部材３が劣化した時には、滑り止め部材３のみを交換することができる。なお、滑り止め部材３は、カバー部材４が背もたれ本体２の下面を被覆しない場合や、カバー部材４そのものが使用されない場合には、背もたれ本体２の下面に直接取り付けられてもよく、その際にも着脱可能であることが好ましい。
【００３５】
滑り止め部材３は、本実施形態では、図２および図３に示されるように、シート状に形成され、背もたれ本体２の下面の略全体に亘る大きさに形成されている。より具体的には、図４および図６においてよく見ることができるように、滑り止め部材３は、硬質部材２１１の下面２１１ｂを越えて、床面Ｆから離間して、側面２１１ｃ、２１１ｄの側まで延びている。したがって、背もたれ具１は、使用者が背中をもたれかける際に、背中がもたれかかる側面２１１ｃ、２１１ｄとは反対側に傾いたとしても、床面Ｆに沿った背もたれ具１の摺動が抑制される。ただし、滑り止め部材３は、背もたれ具１が床面Ｆ上を摺動するのを抑制（または防止）することができればよく、その形状や大きさは適宜変更が可能である。滑り止め部材３を構成する材料もまた、背もたれ具１が床面Ｆ上を摺動するのを抑制（または防止）することができれば、特に限定されることはなく、たとえばシリコーンゴム、ウレタンゴム、フッ素ゴムなどの合成ゴムを採用することができ、たとえばポリエステル生地の表面にシリコーンゴムを塗布した滑り止め材を好適に採用することができる。
【００３６】
カバー部材４は、背もたれ本体２を被覆し、たとえば背もたれ本体２を汚れから保護する部材である。カバー部材４は、本実施形態では、図１〜図５に示されるように、背もたれ本体２の外形に沿う形状に形成され、背もたれ本体２の外面に接触するように背もたれ本体２の全体を被覆する。カバー部材４は、背もたれ本体２に対して着脱自在に構成することが可能で、そうすることにより取り換えが可能となる。たとえば、長期間の使用によりカバー部材４が汚れてきたときに取り外して洗濯が可能となり、古くなった場合は新しいカバー部材４に交換することができるので、背もたれ具１を清潔な状態に維持することができる。カバー部材４は、背もたれ本体２を被覆することができれば、特に限定されることはなく、綿生地、キャンパス生地、ポリエステル生地などの公知のカバー生地により作製することができる。なお、カバー部材４は、背もたれ本体２の少なくとも一部を被覆するように構成されていればよく、たとえば背もたれ本体２の上面や下面を除く側面のみを被覆するように構成されていてもよい。また、カバー部材４は、任意で使用されるものであり、背もたれ具１は、カバー部材４を設けることなく使用することも可能である。
【００３７】
背もたれ具１は、図１および図７に示されるように、背もたれ具１を持ち上げるための持ち手５、６、７をさらに備えていてもよい。背もたれ具１は、持ち手５、６、７を備えることにより、使用者が背もたれ具１を容易に持ち上げることが可能で、背もたれ具１を必要な場所に自在に配置することができる。
【００３８】
持ち手５、６、７は、背もたれ具１を持ち上げることができれば、その構成は特に限定されない。たとえば、図１に示される実施形態では、持ち手５は、背もたれ本体２の上側のカバー部材４に設けられている。持ち手５は、硬質部材２１１の第３側面２１１ｅ（図５参照）の側から、硬質部材２１１の上面２１１ａ（図５参照）の上方を通って、第４側面２１１ｆ（図５参照）の側まで架け渡され、第３側面２１１ｅの側および第４側面２１１ｆの側でカバー部材４に接続されるバンドまたはベルトとして形成されている。持ち手５は、この実施形態ではカバー部材４に設けられているが、背もたれ本体２（特に硬質部材２１１）に設けられてもよい。また、図１には、持ち手５とは別の持ち手６が示されているが、持ち手６は、背もたれ本体２の両側の側面に設けられている。持ち手６は、カバー部材４を貫通して、硬質部材２１１の第３側面２１１ｅ（図５参照）および第４側面２１１ｆ（図５参照）に穿設された、指を挿入可能な凹部として形成されている。持ち手６は、この実施形態では背もたれ本体２の硬質部材２１１に穿設されたものであるが、カバー部材４の貫通孔だけによっても代用可能である。また、図７に示される実施形態では、持ち手７は、背もたれ本体２の上側のカバー部材４に設けられている。持ち手７は、カバー部材４の上面に略平行な一対の切り込みが入れられて、一対の切り込みの間の部分が持ち手となるように形成されている。
【００３９】
背もたれ具１は、図７に示されるように、使用者の頭部を支持する枕体８をさらに備えていてもよい。枕体８は、使用者が背もたれ本体２に背中をもたれかける際に、頭部をもたれかけることができるように、背もたれ本体２の上側に設けられる。使用者は、背もたれ具１が枕体８を備えることにより、背中だけでなく頭部ももたれかけることができるので、よりリラックスすることができる。
【００４０】
枕体８は、本実施形態では、図７に示されるように、背もたれ本体２の上側のカバー部材４の上部に取り付けられる。枕体８は、使用者の頭部を支持できるように背もたれ本体２の上側に取り付けることができれば、その取り付け方法は限定されることはなく、たとえば面ファスナーやスナップボタンなど、公知の取り付け手段により着脱自在に取り付けることができる。なお、枕体８は、カバー部材４が背もたれ本体２の上面を被覆しない場合や、カバー部材４そのものが使用されない場合には、背もたれ本体２の上面に取り付けられてもよい。
【００４１】
枕体８は、使用者の頭部を支持することができれば、その構成は特に限定されない。枕体８は、本実施形態では、図１に示されるように、使用者の頭部を支持する枕本体８１と、枕本体８１を被覆する枕カバー８２とを備えている。
【００４２】
枕本体８１は、図１に示されるように、下面が略平坦な略半円柱状に形成されている。枕体８は、枕本体８１の下面が略平坦に形成されることで、背もたれ本体２の略平坦な上面に容易にかつ安定して設置することができる。枕本体８１は、使用者の頭部を支持する強度を有するとともに、使用者の頭部が受ける衝撃や振動を緩和する弾力性を有していれば、構成される材料は特に限定されることはなく、たとえば背もたれ本体２の支持部材２１と同様の材料により形成することができる。
【００４３】
枕カバー８２は、枕本体８１を被覆し、たとえば枕本体８１を汚れから保護する。枕カバー８２は、図１に示されるように、枕本体８１の外形に沿う形状に形成され、枕本体８１の外面に接触するように枕本体８１の全体を被覆する。枕カバー８２は、枕本体８１に対して着脱自在に構成することが可能で、そうすることにより取り換えが可能となる。たとえば、長期間の使用により枕カバー８２が汚れてきたときに取り外して洗濯し、古くなった場合は新しい枕カバー８２に交換することができるので、枕体８を清潔な状態に維持することができる。枕カバー８２は、枕本体８１を被覆することができれば、特に限定されることはなく、綿生地、キャンパス生地、ポリエステル生地などの公知のカバー生地により作製することができる。
【符号の説明】
【００４４】
１  背もたれ具
２  背もたれ本体
２１  支持部材
２１１  硬質部材
２１１ａ  上面
２１１ｂ  底面
２１１ｃ  側面（第１側面）
２１１ｄ  側面（第２側面）
２１１ｅ  側面（第３側面）
２１１ｆ  側面（第４側面）
２１２  軟質部材
２１２ａ  内側軟質部材
２１２ｂ  外側軟質部材
２２  被覆部材
３  滑り止め部材
４  カバー部材
５、６、７  持ち手
８  枕体
８１  枕本体
８２  枕カバー
Ａ  第１側面の底面に対する角度
Ｂ  第２側面の底面に対する角度
Ｆ  床面
Ｆｂ  背中から受ける力
Ｆｈ  水平方向の押圧力
Ｆｓ  静止摩擦力
Ｆｖ  垂直方向の押圧力
Ｎ  垂直抗力
Ｗ  背もたれ具の荷重
【図１】
2020137711.tif 000003
【図２】
2020137711.tif 000004
【図３】
2020137711.tif 000005
【図４】
2020137711.tif 000006
【図５】
2020137711.tif 000007
【図６】
2020137711.tif 000008
【図７】
2020137711.tif 000009